(57)【特許請求の範囲】
【請求項１】
粉状物質の物性値を測定する粉状物質測定装置を収容可能な収容空間を有し、吸引孔及び排気孔が形成された箱状のカバー本体と、
前記収容空間内の空気を前記排気孔から排気させる排気手段と、
前記吸引孔を閉塞可能な閉塞手段とを備え、
前記カバー部材は、該カバー本体の背面の下部に前記吸引孔が形成され、該カバー本体の上面に前記排気孔が形成されることにより、該カバー本体の背面の下部から上面に向かう上昇気流が発生するよう構成されており、
前記閉塞手段は、前記吸引孔全域を覆うように形成された板状の閉塞部材を備え、該閉塞部材の少なくとも一端側が、前記カバー本体の壁面に固定され、該一端側に対向する他端側が、前記排気手段の排気により前記収容空間内が負圧状態となることによって前記収容空間内に移動し、前記吸引孔の開放状態を形成すると共に、前記排気手段による排気が停止している間、前記吸引孔を閉塞するように構成されている
ことを特徴とする防塵用カバー部材。
【請求項２】
前記排気手段は、排気風量を調整可能な風量調整手段を備える
ことを特徴とする請求項１に記載の防塵用カバー部材。
【請求項３】
前記風量調整手段は、排気風量を手動で調整可能である
ことを特徴とする請求項２に記載の防塵用カバー部材。
【請求項４】
前記閉塞部材は、可撓性を有するゴム板であり、前記収容空間内が負圧状態となることにより前記収容空間内に撓んで前記吸引孔の開放状態を形成し、前記排気手段による排気が停止することにより元の形状に復元して前記吸引孔を閉塞するように構成されている
ことを特徴とする請求項１乃至３いずれか１項に記載の防塵用カバー部材。
【請求項５】
前記閉塞部材は、接着部材により前記カバー本体の内壁に固定されており、
前記接着部材は、両面テープ、ヒンジ又は接着剤である
ことを特徴とする請求項１乃至４いずれか１項に記載の防塵用カバー部材。
【請求項６】
前記接着部材は、両面テープである
ことを特徴とする請求項５に記載の防塵用カバー部材。
【発明の詳細な説明】
【技術分野】
【０００１】
本発明は、粉状物質の物性値を測定する粉状物質測定装置に使用される防塵用カバー部材に関するものである。
【背景技術】
【０００２】
従来から、粉体の安息角、崩壊角、差角、ゆるみ見掛比重、固め見掛比重、圧縮度、凝縮度、スパチュラ角、分散度及び均一度等の物性値を測定し、粉体の流動特性等を評価するための装置が知られている（例えば特許文献１参照）。この特許文献１の粉粒体流動特性測定装置は、上述した各物性値の測定部を一の装置内に設け、一の装置で機械的に且つ一定の条件下で上述した各物性値の測定を行うようにしたものである。
【先行技術文献】
【特許文献】
【０００３】
【特許文献１】特公昭５１−１４２７８号公報
【発明の概要】
【発明が解決しようとする課題】
【０００４】
しかしながら、特許文献１の粉粒体流動特性測定装置は、大気中に曝した状態で使用されるものであるため、測定中に粉体が飛散して測定者が吸引してしまうおそれや、粉体の臭気等により測定者の健康を害するおそれがあるという問題がある。
【０００５】
そこで、本発明は、粉状物質の飛散を効果的に防止することができる防塵用カバー部材を提供することを目的とする。
【課題を解決するための手段】
【０００６】
上記の目的を達成するため、本発明に係る防塵用カバー部材は、粉状物質の物性値を測定する粉状物質測定装置を収容可能な収容空間を有し、吸引孔及び排気孔が形成された箱状のカバー本体と、前記収容空間内の空気を前記排気孔から排気させる排気手段と、前記吸引孔を閉塞可能な閉塞手段とを備え、前記閉塞手段は、前記排気手段により前記収容空間内の空気が排気されている間、前記吸引孔を開放し、前記排気手段による排気が停止している間、前記吸引孔を閉塞するように構成されていることを特徴とする。
【０００７】
本発明に係る防塵用カバー部材において、前記排気手段は、排気風量を調整可能な風量調整手段を備えることが好ましい。この場合において、前記風量調整手段は、排気風量を手動で調整可能であることが好ましい。
【０００８】
また、本発明に係る防塵用カバー部材において、前記閉塞手段は、前記吸引孔全域を覆うように形成された板状の閉塞部材を備え、該閉塞部材の少なくとも一端側は、前記カバー本体の壁面に固定され、該一端側に対向する他端側は、前記排気手段の排気により前記収容空間内が負圧状態となることによって前記収容空間内に移動し、前記吸引孔の開放状態を形成するように構成されていることが好ましい。この場合において、前記閉塞部材は、可撓性を有しており、前記収容空間内が負圧状態となることにより前記収容空間内に撓んで前記吸引孔の開放状態を形成し、前記排気手段による排気が停止することにより元の形状に復元して前記吸引孔を閉塞するように構成されていることが好ましい。
【０００９】
さらに、本発明に係る防塵用カバー部材において、前記排気孔は、前記カバー本体の上面に形成され、前記吸引孔は、前記カバー本体の背面の下部に形成されていることが好ましい。
【発明の効果】
【００１０】
本発明によれば、粉状物質の飛散を効果的に防止することができる防塵用カバー部材を提供することができる。
【図面の簡単な説明】
【００１１】
【図１】本発明の一実施形態に係る防塵用カバー部材の概略構成を示す正面図である。
【図２】本実施形態に係る防塵用カバー部材の閉塞部材が閉じた状態を示す概略部分断面拡大図である。
【図３】本実施形態に係る防塵用カバー部材の閉塞部材が開いた状態を示す概略部分断面拡大図である。
【発明を実施するための形態】
【００１２】
次に、本発明の一実施形態に係る防塵用カバー部材について、図面に基づいて説明する。本実施形態に係る防塵用カバー部材１は、図１に示すように、粉状物質測定装置２を収容可能な収容空間１２を有するカバー本体１０と、カバー本体１０の収容空間１２内の空気を収容空間１２の外部に排気させる排気機構２０と、カバー本体１０に形成された吸引孔１４を閉塞する閉塞部材３０とを備えている。本実施形態において、粉状物質測定装置２は、例えば、粉状物質の安息角、崩壊角、差角、ゆるみ見掛比重、固め見掛比重、圧縮度、凝縮度、スパチュラ角、分散度及び均一度等の物性値を測定可能な装置であり、粉状物質を用いて測定を行う汎用の測定装置を用いることができる。
【００１３】
カバー本体１０は、前面が開放された箱体１０ａと、箱体１０ａの前面を覆う両開き式の扉部材１０ｂ、１０ｂとから構成されており、これら箱体１０ａ及び左右の扉部材１０ｂ、１０ｂにより囲まれた空間が、粉状物質測定装置２を収容する収容空間１２となるように構成されている。これら箱体１０ａ及び左右の扉部材１０ｂ、１０ｂは、それぞれ、例えばアクリル、透明塩化ビニル及び透明ＰＥＴ等の透明性を有するプラスチック等から形成されており、収容空間１２内が排気機構２０によって負圧状態とされた際に変形及び破損等が生じない厚さ（例えば厚さ４ｍｍ程度）を有している。箱体１０ａの背面の下部には、図２及び図３に示すように、収容空間１２の内部と外部とを連通させる矩形状の２つの吸引孔１４、１４が形成されており、箱体１０ａの上面の略中央には、図１に示すように、収容空間１２の内部と外部とを連通させる円状の１つの排気孔１６が形成されている。左右の扉部材１０ｂ、１０ｂは、それぞれ、板状に形成されており、箱体１０ａの開放縁とヒンジ１１を介して回動自在に連結されている。また、左右の扉部材１０ｂ、１０ｂは、それぞれ、開閉時に測定者が把持する取手部１７が設けられると共に、測定者の腕を挿入可能な挿入孔１８が形成されている。挿入孔１８には、挿入孔１８を閉塞可能な挿入孔閉塞部材（図示せず）が設けられている。この挿入孔閉塞部材は、例えば、挿入孔１８に対して着脱自在な蓋部材や、挿入孔１８を密閉し、測定者の腕を挿入可能なグローブ部材や、中心から外周縁部に亘って複数の放射線状の切り込みが形成された円盤状の逆止部材等、種々の構成を用いることができる。これら箱体１０ａと扉部材１０ｂとの間や左右の扉部材１０ｂ、１０ｂの間は、シール部材（図示せず）により封止されることが好ましく、これにより、カバー本体１０の収容空間１２を密閉空間とすることができる。
【００１４】
排気機構２０は、排気流を発生させる排気ファン２１と、排気流の風量を調整するダンパー（風量調整手段）２２と、カバー本体１０の排気孔１６とダンパー２２とを連通させる第１配管２３と、ダンパー２２と排気ファン２１とを連通させる第２配管２４と、排気ファン２１と屋外とを連通させる第３配管２５と、測定対象となる粉状物質を捕集可能なフィルタ（図示せず）とを備えている。排気ファン２１は、その駆動によりカバー本体１０内を負圧状態とし、カバー本体１０の外部から吸引孔１４を介して収容空間１２内に流入し、収容空間１２内を流動して排気孔１６から流出する排気流を発生させるように構成されている。ダンパー２２は、その内部に設けられた開閉部材（図示せず）を開閉させることによって、その内部を流動する排気流の風量を可変的に調整するように構成されている。このダンパー２２には、開閉部材を開閉させるためのハンドル２２ａが設けられており、開閉部材の開閉は、測定者がこのハンドル２２ａを操作することにより手動で行われるように構成されている。
【００１５】
閉塞部材３０は、例えばクロロプレンゴムやシリコンゴム等からなる可撓性を有するゴム板からなり、吸引孔１４の開口面積よりも一回り大きい大きさを有する矩形状に形成されている。この閉塞部材３０は、収容空間１２内が排気機構２０によって粉状物質の各種測定に影響を与えない程度の負圧状態とされた際に撓む程度の厚さ（例えば厚さ１ｍｍ程度）を有している。この閉塞部材３０の厚さは、排気機構２０による排気風量や、カバー本体１０の吸引孔１４、１４の大きさ及び閉塞部材３０の大きさ等に応じて適宜設定される。このように構成された閉塞部材３０は、図２及び図３に示すように、吸引孔１４全域を覆うように、その上縁端部３０ａが接着部材（図示せず）によりカバー本体１０の内壁に固定されており、これにより、排気機構２０の排気によって収容空間１２内が負圧状態となっている間、下端縁部３０ｂが収容空間１２内に移動するようにして撓んで吸引孔１４の開放状態を形成し、排気機構２０による排気が停止することにより元の形状に復元して吸引孔１４を閉塞するように構成されている。閉塞部材３０をカバー本体１０に固定する接着部材は、例えば強力両面テープ、ヒンジ及び接着剤等の種々の手段を用いることができるが、例えば厚み及び柔軟性を有する強力両面テープを用いることが、接着剤を用いた場合よりも耐久性に優れ、また、ヒンジを用いた場合よりもコストを低減することができるため好ましい。
【００１６】
次に、本実施形態に係る防塵用カバー部材１の使用方法について、説明する。防塵用カバー部材１を使用する際には、まず、カバー本体１０の扉部材１０ｂ、１０ｂを開き、カバー本体１０内に試料となる粉状物質と例えばスパチュラ、ロート等の測定作業に必要な用具とを入れ、その後扉部材１０ｂ、１０ｂを閉める。次に、ダンパー２２の開閉部材を閉じた状態（すなわち、排気風量がゼロの状態）において、排気ファン２１の電源を入れて排気ファン２１を駆動させる。その後、ダンパー２２のハンドル２２ａを操作することによって開閉部材を徐々に開き、粉状物質の各種測定に影響を与えない程度の風量となるように排気流の風量を調整する。ここで、粉状物質の各種測定に影響を与えない程度の風量とは、粉状物質が浮き上がって排気されてしまわない程度の風量であり、粉状物質の比重等に応じて適宜変動するものである。次に、扉部材１０ｂ、１０ｂの挿入孔１８、１８から測定者の腕を挿入し、粉状物質測定装置２の各種試料測定部に粉状物質をセットする。次に、粉状物質測定装置２の電源を入れ、所定の測定を実行する。なお、粉状物質の各種測定方法は、周知であるため説明を省略する。粉状物質の各種測定が終了した後、扉部材１０ｂ、１０ｂを開き、安息角、分散度等の計測を行う。これらの計測が終了した後、ダンパー２２の開閉部材を全開にして、カバー本体１０内において飛散した粉状物質の清掃を行う。その後、測定を続ける場合には、以上の作業を繰り返し行う。
【００１７】
本実施形態に係る防塵用カバー部材１は、粉状物質測定装置２を収容可能な収容空間１２を有するカバー本体１０と、収容空間１２内の空気を排気孔１６から排気させる排気機構２０と、吸引孔１４を閉塞可能な閉塞部材３０とを備えることにより、粉状物質測定装置２を用いて粉状物質の測定を行う場合に、粉状物質がカバー本体１０外に飛散することを効果的に防止し、測定者が粉状物質を吸引するおそれを低減させることができる。また、本実施形態に係る防塵用カバー部材１によれば、閉塞部材３０が、排気機構２０により収容空間１２内の空気が排気されている間、吸引孔１４を開放し、排気機構２０による排気が停止している間、吸引孔１４を閉塞するように構成されているので、排気機構２０を停止させた状態においても、粉状物質の飛散を防止することができる。また、本実施形態に係る防塵用カバー部材１は、閉塞部材３０が可撓性を有する板部材から構成されており、簡素な構成であるため、製造コストを抑えることができる。
【００１８】
また、本実施形態に係る防塵用カバー部材１は、排気風量を調整可能なダンパー（風量調整手段）２２を備えていることにより、測定対象となる粉状物質の種類（比重）に応じて、粉状物質が浮き上がらない程度の排気風量に調整することができるので、排気機構２０による排気が与える測定への影響を低減させることができる。また、本実施形態に係る防塵用カバー部材１のダンパー（風量調整手段）２２は、手動により排気風量を調整可能であるので、測定者の感覚によって排気風量を適宜調整することができる。このような測定者の感覚による排気風量の調整は、測定時の測定環境（湿度）等を考慮する必要がある粉状物質の測定において、特に有効である。
【００１９】
さらに、本実施形態に係る防塵用カバー部材１は、カバー本体１０の上面に排気孔１６が形成され、カバー本体１０の背面の下部に吸引孔１４が形成されているため、排気流をカバー部材１０の背面の下部から上面へ向かう上昇気流とすることができ、粉状物質の測定に対する排気流の影響を低減させることができると共に、飛散した粉状物質を効率良く排気することができる。
【００２０】
本発明に係る防塵用カバー部材は、上述した実施形態に限定されるものではなく、本発明の技術思想を逸脱しない範囲内において種々の改変を行なうことができる。例えば、本実施形態に係る防塵用カバー部材１において、ダンパー２２における開閉部材は、手動で開閉が行われるものであるとしたが、これに限定されず、電動で開閉が行われるものであっても良い。また、開閉部材の開閉を電動で行う場合には、フィードバック制御等によって風量を調整するように構成されても良い。
【００２１】
また、本実施形態に係る防塵用カバー部材１において、閉塞手段は、ゴム板等の板部材から構成される閉塞部材３０であるとしたが、これに限定されず、排気機構２０により収容空間１２内の空気が排気されている間、吸引孔１４を開放し、排気機構２０による排気が停止している間、吸引孔１４を閉塞するように構成されていれば良い。例えば、閉塞手段は、極薄フィルム等のシート部材から構成される閉塞部材であるしても良い。また、例えば、閉塞手段は、吸引孔１４全域を覆うように形成された閉塞部材と、カバー本体１０の内壁に固定され、閉塞部材を揺動可能に支持するヒンジ部材とを備える構成としても良く、この場合、閉塞部材は、可撓性を備える必要がない。
【符号の説明】
【００２２】
１  防塵用カバー部材、２  粉状物質測定装置、１０  カバー本体、１２  収容空間、１４  吸引孔、１６  排気孔、２０  排気機構、３０  閉塞部材
【図１】
0005903897.tif 000002
【図２】
0005903897.tif 000003
【図３】
0005903897.tif 000004